(57)【要約】【課題】  停電等の電源供給停止時にハードディスク装置やメモリに記憶されたデータが消去されることなく、それらのデータの漏洩を防ぐことが可能な電子機器を提供する。【解決手段】  携帯電話機筐体１ａの勘合部に具備された開口センサ・スイッチ１８は携帯電話機筐体１ａの開口を検出すると、ＬＳＩ１１の消去プログラム１１ａを起動する端子へ信号を送り、消去プログラム１１ａを起動する。消去プログラム１１ａは緊急電池１５の電力によって稼動し、メモリ１３の情報を完全に消去する。【選択図】      図１
2007041820.tif 000002
【特許請求の範囲】
【請求項１】
自機器に内蔵のデータが外部からの不正アクセスに対して保護された電子機器であって、
自機器が搭載された筐体の開口を検出する検出機構と、
前記開口が検出された時に前記内蔵のデータを全て消去する消去手段と、
前記消去手段を稼働する予備電池とを有することを特徴とする電子機器。
【請求項２】
前記検出機構は、前記筐体の嵌合部に設置され、前記開口の検出時に閉回路信号にて前記消去手段を起動することを特徴とする請求項１記載の電子機器。
【請求項３】
キー操作を抑止するロック機能を備えた携帯電話機であることを特徴とする請求項１または請求項２記載の電子機器。
【請求項４】
少なくとも暗号化とパスワードと人体認証都のうちのいずれかによって前記内蔵のデータを保護するパーソナルコンピュータであることを特徴とする請求項１または請求項２記載の電子機器。
【請求項５】
前記内蔵のデータの消去にて少なくとも駆動部分の始動を禁止する移動体に搭載することを特徴とする請求項１または請求項２記載の電子機器。
【請求項６】
自機器に内蔵のデータが外部からの不正アクセスに対して保護された電子機器に用いるデータ自動消去方法であって、
前記電子機器が搭載された筐体の開口が検出機構にて検出された時に前記内蔵のデータを全て消去する処理を実行し、
前記電子機器が予備電池からの電源供給にて当該処理を実行することを特徴とするデータ自動消去方法。
【請求項７】
前記検出機構が、前記筐体の嵌合部に設置され、前記開口の検出時に閉回路信号にて前記電子機器を起動することを特徴とする請求項６記載のデータ自動消去方法。
【請求項８】
前記電子機器が、キー操作を抑止するロック機能を備えた携帯電話機であることを特徴とする請求項６または請求項７記載のデータ自動消去方法。
【請求項９】
前記電子機器が、少なくとも暗号化とパスワードと人体認証都のうちのいずれかによって前記内蔵のデータを保護するパーソナルコンピュータであることを特徴とする請求項６または請求項７記載のデータ自動消去方法。
【請求項１０】
前記電子機器が、前記内蔵のデータの消去にて少なくとも駆動部分の始動を禁止する移動体に搭載されることを特徴とする請求項６または請求項７記載のデータ自動消去方法。
【請求項１１】
自機器に内蔵のデータが外部からの不正アクセスに対して保護された電子機器に用いるデータ自動消去方法のプログラムであって、前記電子機器のコンピュータに、前記電子機器が搭載された筐体の開口が検出機構にて検出された時に前記内蔵のデータを全て消去する処理を実行させ、前記電子機器への予備電池からの電源供給にて当該処理を実行させるためのプログラム。
【発明の詳細な説明】
【技術分野】
【０００１】
本発明は電子機器及びそれに用いるデータ自動消去方法並びにそのプログラムに関し、特に携帯電話機やパーソナルコンピュータ等の電子機器におけるデータ漏洩の保護に関する。
【背景技術】
【０００２】
近年、パーソナルコンピュータ（以下、パソコンとする）、特にノート型のパソコンや携帯電話機においては、本体の盗難や本体への不正アクセスによって、ハードディスク装置内の情報が盗まれるという事態が発生している。これを防ぐために、パソコンに対する現行のデータ保護として、パソコン起動時の暗号化、パソコンに対する不正アクセスを防ぐためのパスワードの設定や指紋認証、携帯電話機の使用を抑止するロック機能の設定等の方法が採られている。
【０００３】
また、情報の漏洩を防ぐ方法としては、保守等の所定のキ−入力を行って正規にケ−スを開けた場合に内蔵メモリの記憶内容を保持し，所定以外のキ−入力を行って不正にケ−スを開けた場合にメカニカルスイッチあるいは光検出器が作動し、メモリへの電力（電池）の供給を絶つことで、内蔵メモリの記憶内容を破壊し、守秘性の高いデ−タの盗難を防止する方法が提案されている（例えば、特許文献１参照）。
【０００４】
さらに、情報の漏洩を防ぐ方法としては、秘密情報記憶手段全体を容器に格納し，容器の開閉部付近に光検出器を配置し、筐体を不正に開けようとすると、筐体内に光が入るので、それを光検出器で検出し、検出した時に秘密情報を記憶したＲＡＭ（Ｒａｎｄｏｍ  Ａｃｃｅｓｓ  Ｍｅｍｏｒｙ）に強制的に「０」を書込むか、電源を強制的に遮断して記憶内容を破壊することで、盗難時に記憶された秘密情報の読出しを不能にする方法も提案されている（例えば、特許文献２参照）。
【０００５】
【特許文献１】特開昭６３−２３４３４０号公報
【特許文献１】特開昭６１−２２８５６９号公報
【発明の開示】
【発明が解決しようとする課題】
【０００６】
しかしながら、上述した従来の内部情報のガード機能では、パソコン本体が盗難に遭った時、あるいは本体が不正取得された時、または本体を紛失した時に、本体が解体され、ハードディスク装置や内蔵メモリといった部品レベルでの直接読出しが行われる場合には、内部情報のガードが機能していない。
【０００７】
また、上述した特許文献１，２に記載の方法では、開口を検出して、電源供給を停止することでＲＡＭの内容を消去する方法が開示されているが、この方法では、停電等の電源供給停止時の対処が考慮されてないので、盗難や不正取得、及び紛失時以外において電源供給が停止すると、内部情報が破壊されてしまうという問題がある。
【０００８】
そこで、本発明の目的は上記の問題点を解消し、停電等の電源供給停止時にハードディスク装置やメモリに記憶されたデータが消去されることなく、それらのデータの漏洩を防ぐことができる電子機器及びそれに用いるデータ自動消去方法並びにそのプログラムを提供することにある。
【課題を解決するための手段】
【０００９】
本発明による電子機器は、自機器に内蔵のデータが外部からの不正アクセスに対して保護された電子機器であって、
自機器が搭載された筐体の開口を検出する検出機構と、
前記開口が検出された時に前記内蔵のデータを全て消去する消去手段と、
前記消去手段を稼働する予備電池とを備えている。
【００１０】
本発明によるデータ自動消去方法は、自機器に内蔵のデータが外部からの不正アクセスに対して保護された電子機器に用いるデータ自動消去方法であって、
前記電子機器が搭載された筐体の開口が検出機構にて検出された時に前記内蔵のデータを全て消去する処理を実行し、
前記電子機器が予備電池からの電源供給にて当該処理を実行している。
【００１１】
本発明によるデータ自動消去方法のプログラムは、自機器に内蔵のデータが外部からの不正アクセスに対して保護された電子機器に用いるデータ自動消去方法のプログラムであって、前記電子機器のコンピュータに、前記電子機器が搭載された筐体の開口が検出機構にて検出された時に前記内蔵のデータを全て消去する処理を実行させ、前記電子機器への予備電池からの電源供給にて当該処理を実行させている。
【００１２】
すなわち、本発明の電子機器は、予備電池を内蔵し、盗難や不正取得、及び紛失にあって、本体が不正に解体された時に、その予備電池を用いて、内蔵するハードディスク装置やメモリに記憶されたデータの自動消去を行っている。これによって、本発明の電子機器では、停電等の電源供給停止時にハードディスク装置やメモリに記憶されたデータが消去されることなく、それらのデータの漏洩を防ぐことが可能となる。
【００１３】
より具体的に説明すると、本発明の電子機器では、筐体勘合部に設けられた筐体開口センサと、全てのデータを消去するプログラム（消去プログラム）と、バッテリが着脱されても上記のプログラムを稼動させるための緊急電池（充電池または超寿命ボタン電池）とを具備している。
【００１４】
本発明の電子機器では、筐体開口センサ・スイッチで筐体が開かれたことを検出して閉回路を形成し、緊急電池によって上記のプログラムを起動して全てのデータを消去している。この場合、緊急電池の容量を消費しないように、筐体が開閉される時以外には、電源供給を行わない回路構成を採っている。また、本発明の電子機器では、保守作業のためにデータセーブ用のコンセントを具備している。このデータセーブに際しては、パスワードや保守用隠しコマンドを使用する。
【００１５】
携帯電話機やパーソナルコンピュータ（以下、パソコンとする）等の電子機器においては、それらに内蔵するデータの保護が極めて重要である。最近では、これらの電子機器に内蔵のデータは暗号化、パスワード、人体認証（例えば、指紋認証等）、ロック機能等によってガードされている。しかしながら、このガード機能は、これらの電子機器が解体され、部品レベルでのメモリからのデータの読出しには対応してない。これに対し、本発明の電子機器では、携帯電話機やパソコン等の電子機器本体が解体された場合、消去プログラムを自動的に起動し、内部データを完全に消去することを特徴としている。
【発明の効果】
【００１６】
本発明は、以下に述べるような構成及び動作とすることで、停電等の電源供給停止時にハードディスク装置やメモリに記憶されたデータが消去されることなく、それらのデータの漏洩を防ぐことができるという効果が得られる。
【発明を実施するための最良の形態】
【００１７】
次に、本発明の実施例について図面を参照して説明する。図１は本発明の一実施例による携帯電話機の構成を示すブロック図であり、図２は本発明の一実施例による携帯電話機の側面図である。
【００１８】
これら図１及び図２において、携帯電話機１は、アンテナ１０と、内部に記憶された全てのデータを消去する消去プログラム１１ａを具備するＬＳＩ（Ｌａｒｇｅ  Ｓｃａｌｅ  Ｉｎｔｅｇｒａｔｅｄ  ｃｉｒｃｕｉｔ）１１と、信号の送受信部（図示せず）を含む無線系回路１２と、メモリ１３と、電池（バッテリ）１４と、電池１４が着脱されても消去プログラム１１ａを稼動させるための緊急電池（充電池または超寿命ボタン電池）１５と、操作部１６と、表示部１７と、携帯電話機筐体１ａの勘合部に設けられた開口センサ・スイッチ１８と、保守作業の際のデータセーブ用のプラグ１９とから構成されている。尚、プラグ１９には保守作業用端末（図示せず）に接続されたケーブル２０の先端のプラグ２１が嵌合するようになっている。
【００１９】
図３は本発明の一実施例による携帯電話機１の内蔵データ消去処理を示すフローチャートである。これら図１〜図３を参照して本発明の一実施例による携帯電話機１の内蔵データ消去処理について説明する。尚、図３に示す処理のうち、ステップＳ３，Ｓ４の処理は上記の消去プログラム１１ａの処理に対応する。
【００２０】
携帯電話機１は使用者以外の使用を抑止するロック機能を備えており、携帯電話機１を悪意に入手して、内部データを見ようとすると、ロックキー（Ｌｏｃｋ  Ｋｅｙ）がセットされていて使えない。そこで、悪意に入手した者が直接内部のメモリ１３からデータを読出すため、携帯電話機筐体１ａを開口すると（この時、電池１４が着脱されることもある）、携帯電話機筐体１ａの勘合部に具備された開口センサ・スイッチ１８が携帯電話機筐体１ａの開口を検出する（図３ステップＳ１）。
【００２１】
開口センサ・スイッチ１８は携帯電話機筐体１ａの開口を検出すると、ＬＳＩ１１の消去プログラム１１ａを起動する端子（ＬＳＩ１１の一端子）へ信号を送り、消去プログラム１１ａを起動する（図３ステップＳ２）。本実施例では、開口センサ・スイッチ１８がループ（閉回路）信号にて消去プログラム１１ａを起動するものとする。
【００２２】
消去プログラム１１ａは緊急電池１５の電力によって稼動し（図３ステップＳ３）、データ部（メモリ１３）の情報を完全に消去する（図３ステップＳ４）。この一連の動作に先立ち、緊急電池１５は、常時、電池１４によって充電されている。
【００２３】
尚、本実施例では、携帯電話機１について述べたが、パーソナルコンピュータ（以下、パソコンとする）（特に、ノート型のパソコン）にも適用可能であり、パソコンの場合には起動時の暗号化、不正アクセスを防ぐためのパスワードの設定や指紋認証にて内部データ（例えば、ハードディスク装置や内蔵メモリ等のデータ）を見えなくしており、筐体を開口して直接内部データをハードディスク装置や内蔵メモリ等から読出そうとすると、上記の携帯電話機１の場合と同様に、消去プログラムによって内部データが消去される。
【００２４】
このように、携帯電話機１やパソコン等の電子機器の盗難、不正取得、紛失の場合には、パスワード、ロックＫｅｙで内部データを保護していても、本体が解体され、部品レベルで内部データを読出されることが予想されるが、本実施例では、本体の解体による内部データを読出しを完全に防止することができる。
【００２５】
また、本実施例では、上記の消去プログラム１１ａが内蔵されていることを周知することで、データ取得を目的とした盗難が少なくなる。例えば、「弊社のノートパソコンは解体した時点でデータが消失します」とのキャッチフレーズにて周知を図ることで、データ取得を目的とした盗難を少なくすることが可能となる。
【００２６】
さらに、本発明は、上記の主要部分を含む電子機器を搭載する商品（例えば、制御機器として上記の主要部分を含む電子機器を搭載する自動車、その電子機器を搭載しかつ録画・録音機能を備えたレコーダ等）にも適用可能である。自動車の場合には、盗難目的に正規の手順以外でドアが開閉された時に、上記の消去プログラムにて電子機器の内部データを消去することで、自動車のエンジンの始動等を禁止することができる。
【図面の簡単な説明】
【００２７】
【図１】本発明の一実施例による携帯電話機の構成を示すブロック図である。
【図２】本発明の一実施例による携帯電話機の側面図である。
【図３】本発明の一実施例による携帯電話機１の内蔵データ消去処理を示すフローチャートである。
【符号の説明】
【００２８】
１  携帯電話機
１０  アンテナ
１１  ＬＳＩ
１１ａ  消去プログラム
１２  無線系回路
１３  メモリ
１４  電池
１５  緊急電池
１６  操作部
１７  表示部
１８  開口センサ・スイッチ
１９，２１  プラグ
２０  ケーブル
【図１】
2007041820.tif 000003
【図２】
2007041820.tif 000004
【図３】
2007041820.tif 000005